(57)【要約】      （修正有）【課題】地震による振動や余震が断続的に起こり、振幅が大きくなったときに免震装置の一部が脱落して免震機能が失われることを未然に防ぐための脱落防止構造付免震装置を提供すること。【解決手段】上部構造物に固定された上側部材に複数の下向凹面部材を固定し、基礎部材に固定された下側部材５に複数の上向凹面部材６を固定し、該下向凹面部材と上向凹面部材６との間に転動部材７を介在させ、上側部材と下側部材５に固定した上側ガイドレールと下側ガイドレール８間に脱落防止用の摺動ボルト４を介在させたことを特徴とし、且つ、上側ガイドレールと下側ガイドレール８とが互いにクロスして配置されていることを特徴とする脱落防止構造付免震装置。【選択図】図３
2010025328.tif 000002
【特許請求の範囲】
【請求項１】
上部構造物に固定された上側部材に複数の下向凹面部材を固定し、基礎部材に固定された下側部材に複数の上向凹面部材を固定し、該下向凹面部材と上向凹面部材との間に転動部材を介在させ、上側部材と下側部材に固定した上側ガイドレールと下側ガイドレール間に脱落防止及び共振防止用の摺動ボルトを介在させたことを特徴とする脱落防止構造付免震装置。
【請求項２】
上側ガイドレールと下側ガイドレールとが互いにクロスして配置されていることを特徴とする請求項１記載の脱落防止構造付免震装置。
【請求項３】
筐体に固定された筐体脚部を筐体脚部取付用Ｃ型鋼の背部に固定し、該筐体脚部取付用Ｃ型鋼の内側に支持部を介して自在マーブルを取付け、該自在マーブルが該筐体脚部取付用Ｃ型鋼の内側の据付固定部に設けたガイドに沿って摺動自在に当接され、振動を受けた筐体が前方へスライドすると筐体の前部が上昇し、自在マーブルはストッパー部で停止し、且つ、筐体の重心が後方へ移動して筐体の前倒を防止するように構成したことを特徴とする脱落防止構造付免震装置。
【請求項４】
筐体に固定された筐体脚部を筐体脚部取付用Ｃ型鋼の背部に固定し、該筐体脚部取付用Ｃ型鋼の内側にボールベアリングホルダーを介してボールベアリングを取付け、該ボールベアリングが該筐体脚部取付用Ｃ型鋼の内側の据付固定部に設けたガイドに沿って回動自在に当接されており、振動を受けた筐体が前方へスライドすると筐体の前部が上昇し、ボールベアリングはストッパー部で停止し、且つ、筐体の重心が後方へ移動して筐体の前倒を防止するように構成したことを特徴とする脱落防止構造付免震装置。
【請求項５】
筐体に固定された筐体脚部を筐体脚部取付用Ｃ型鋼の背部に固定し、該筐体脚部取付用Ｃ型鋼の内側に首振り用ゴムを介して自在マーブルを取付け、該自在マーブルが該筐体脚部取付用Ｃ型鋼の内側の据付固定部に設けたガイドに沿って摺動自在に当接され、振動を受けた筐体が前方へスライドすると筐体の前部が前方ガイドの曲面に沿って上昇し、自在マーブルはストッパー部で停止し、筐体の重心が後方へ移動して筐体の前倒を防止する構成としたことを特徴とする脱落防止構造付免震装置。
【請求項６】
筐体に固定された筐体脚部を筐体脚部取付用Ｃ型鋼の背部に固定し、該筐体脚部取付用Ｃ型鋼の内側に首振り用ゴムを介して自在マーブルを取付け、該自在マーブルが該筐体脚部取付用Ｃ型鋼の内側の前後の据付固定部に設けたガイドに沿って摺動自在に当接され、振動を受けた筐体が前方へスライドすると筐体の前部が上昇し、自在マーブルはストッパー部で停止し、筐体の重心が後方へ移動して筐体の前倒を防止するように構成したことを特徴とする脱落防止構造付免震装置。
【請求項７】
筐体に固定された筐体脚部を筐体脚部取付用Ｃ型鋼の背部に固定し、該筐体脚部取付用Ｃ型鋼の内側にローラーホルダーを介してローラーを取付け、後方に配置したローラーホルダーの下部に設けられた突起部が据付固定部に接触しており、その接触部の摩擦力によって共振防止され、筐体への収納物の出し入れや、少しの強風を受けても容易に摺動することがなく、該ローラーが該筐体脚部取付用Ｃ型鋼の内側の前後の据付固定部に設けたガイドに沿って回動自在に当接され、振動を受けた筐体が前方へスライドすると筐体の前部が上昇し、ローラーはストッパー部で停止し、筐体の重心が後方へ移動して筐体の前倒を防止するように構成したことを特徴とする脱落防止構造付免震装置。
【請求項８】
筐体に固定された筐体脚部を筐体脚部取付用Ｃ型鋼の背部に固定し、該筐体脚部取付用Ｃ型鋼の内側にローラーホルダーを介してローラーを取付け、後方に配置したローラーホルダーの下部に設けられた突起部が据付固定部に接触しており、その接触部の摩擦力によって共振防止され、筐体への収納物の出し入れや、少しの強風を受けても容易に摺動することがなく、該ローラーが該筐体脚部取付用Ｃ型鋼の内側の前後の据付固定部に設けたガイドに沿って摺動自在に当接され、振動を受けた筐体が前方へスライドすると、前方のガイドに沿って筐体の前部が上昇し、ローラーはストッパー部で停止し、筐体の重心が後方へ移動して筐体の前倒を防止するように構成したことを特徴とする脱落防止構造付免震装置。
【請求項９】
筐体に固定された筐体脚部を筐体脚部取付用Ｃ型鋼の背部に固定し、該筐体脚部取付用Ｃ型鋼の内側にローラーホルダーを介してローラーを取付け、該ローラーが該筐体脚部取付用Ｃ型鋼の内側の前後の据付固定部に設けたガイドに沿って摺動自在に当接され、振動を受けた筐体が前方へスライドすると筐体の前部が上昇し、前方のローラーはストッパー部で停止し、筐体の重心が後方へ移動して筐体の前倒を防止するように構成したことを特徴とする脱落防止構造付免震装置。
【請求項１０】
筐体に固定された筐体脚部を筐体脚部取付用Ｃ型鋼の背部に固定し、該筐体脚部取付用Ｃ型鋼の内側に支持部を介して首捩機能付マーブルを取付け、該首振機能付マーブルが該筐体脚部取付用Ｃ型鋼の内側の前後の据付固定部に設けたガイドに沿って摺動自在に当接され、振動を受けた筐体が前方へスライドすると筐体の前部が上昇し、首振機能付マーブルはストッパー部で停止し、筐体の重心が後方へ移動して筐体の前倒を防止するように構成したことを特徴とする脱落防止構造付免震装置。
【請求項１１】
据付固定部に当接されるローラーホルダーは、双方又は一方に突起部が設けられ、据付固定部との摩擦により共振防止され、また、ストッパー部には緩衝用ゴムが嵌着自在に構成されていることを特徴とする請求項３乃至請求項１０記載の脱落防止構造付免震装置。
【発明の詳細な説明】
【技術分野】
【０００１】    本発明は脱落防止構造付免震装置に関し、特に地震による振動や余震が断続的に起こり、振幅が大きくなったときに免震装置の一部が脱落して免震機能が失われることを未然に防ぐための脱落防止構造付免震装置に関する。
【背景技術】
【０００２】  従来、種々の免震装置が開発されているが、その殆どが建築物や床上の電子機器に対して、免震効果を有するバネやゴムの反発効果や下端部の滑動方式及び球体の転動方式のものが多く存在する。例えば、特開２００７−２４１２３号や特許第３０５８３６４号等が開発されている。【０００３】
【特許文献１】  特開平２００７−２４１２３号公報
【特許文献２】  特許第３０５８３６４号公報
【０００４】  前記せる特開平２００７−２４１２３号は、免震用基盤上に球体を回転自在にとせる構造であり、また、前記せる特許３０５８３６４号は、電子機器の筐体底部にボルトを螺合させて脚体とし、その先端を曲面とし、凹面状受け皿上で滑動させるものであった。【０００５】  しかしながら、振幅の滑動範囲が限られており大きな振幅時に対応することができなくなる問題点があった。【０００６】  特開平２００７−２４１２３号では、狭い範囲で球体が転動するものであるから、使用対象が家屋等の建築物のような場合は、増幅される振幅に対応することが難しいものであった。【０００７】  また、前記せる特許３０５８３６４号は、電子機器の筐体底部にボルトを螺合させて脚体としたものであるから、脚体のフレキシビリティが無く、破損し易いものであった。
【発明の開示】
【発明が解決しようとする課題】
【０００８】  本発明の脱落防止構造付免震装置の課題は、地震による振動や余震が断続的に起こり、振幅が大きくなったときに免震装置の一部が脱落して免震機能が失われることを未然に防ぐための脱落防止構造付免震装置を提供することである。
【課題を解決するための手段】
【０００９】  上部構造物に固定された上側部材に複数の下向凹面部材を固定し、基礎部材に固定された下側部材に複数の上向凹面部材を固定し、該下向凹面部材と上向凹面部材との間に転動部材を介在させ、上側部材と下側部材に固定した上側ガイドレールと下側ガイドレール間に脱落防止用の摺動ボルトを介在させたことを特徴とし、且つ、上側ガイドレールと下側ガイドレールとが互いにクロスして配置されていることを特徴とする脱落防止構造付免震装置を提供する。また、摺動ボルトは脱落防止用と共に摺動ボルトに嵌着された共振防止用スプリングは共振防止と上下動振動時のスプリング効果を有するものである。【００１０】  また、筐体に固定された筐体脚部を筐体脚部取付用Ｃ型鋼の背部に固定し、該筐体脚部取付用Ｃ型鋼の内側に支持部を介して自在マーブルを取付け、該自在マーブルが該筐体脚部取付用Ｃ型鋼の内側の据付固定部に設けたガイドに沿って摺動自在に当接され、振動を受けた筐体が前方へスライドすると筐体の前部が上昇し、自在マーブルはストッパー部で停止し、且つ、筐体の重心が後方へ移動して筐体の前倒を防止するように構成したことを特徴とする脱落防止構造付免震装置を提供する。【００１１】  また、筐体に固定された筐体脚部を筐体脚部取付用Ｃ型鋼の背部に固定し、該筐体脚部取付用Ｃ型鋼の内側にボールベアリングホルダーを介してボールベアリングを取付け、該ボールベアリングが該筐体脚部取付用Ｃ型鋼の内側の据付固定部に設けたガイドに沿って回動自在に当接されており、振動を受けた筐体が前方へスライドすると筐体の前部が上昇し、ボールベアリングはストッパー部で停止し、且つ、筐体の重心が後方へ移動して筐体の前倒を防止するように構成したことを特徴とする脱落防止構造付免震装置を提供する。【００１２】  また、筐体に固定された筐体脚部を筐体脚部取付用Ｃ型鋼の背部に固定し、該筐体脚部取付用Ｃ型鋼の内側に首振り用ゴムを介して自在マーブルを取付け、該自在マーブルが該筐体脚部取付用Ｃ型鋼の内側の据付固定部に設けたガイドに沿って摺動自在に当接され、振動を受けた筐体が前方へスライドすると筐体の前部が前方ガイドの曲面に沿って上昇し、自在マーブルはストッパー部で停止し、筐体の重心が後方へ移動して筐体の前倒を防止する構成としたことを特徴とする脱落防止構造付免震装置を提供する。【００１３】  また、筐体に固定された筐体脚部を筐体脚部取付用Ｃ型鋼の背部に固定し、該筐体脚部取付用Ｃ型鋼の内側に首振り用ゴムを介して自在マーブルを取付け、該自在マーブルが該筐体脚部取付用Ｃ型鋼の内側の前後の据付固定部に設けたガイドに沿って摺動自在に当接され、振動を受けた筐体が前方へスライドすると筐体の前部が上昇し、自在マーブルはストッパー部で停止し、筐体の重心が後方へ移動して筐体の前倒を防止するように構成したことを特徴とする脱落防止構造付免震装置を提供する。【００１４】  また、筐体に固定された筐体脚部を筐体脚部取付用Ｃ型鋼の背部に固定し、該筐体脚部取付用Ｃ型鋼の内側にローラーホルダーを介してローラーを取付け、該ローラーが該筐体脚部取付用Ｃ型鋼の内側の前後の据付固定部に設けたガイドに沿って回動自在に当接され、振動を受けた筐体が前方へスライドすると筐体の前部が上昇し、ローラーはストッパー部で停止し、筐体の重心が後方へ移動して筐体の前倒を防止するように構成したことを特徴とする脱落防止構造付免震装置を提供する。【００１５】  また、筐体に固定された筐体脚部を筐体脚部取付用Ｃ型鋼の背部に固定し、該筐体脚部取付用Ｃ型鋼の内側にローラーホルダーを介してローラーを取付け、該ローラーが該筐体脚部取付用Ｃ型鋼の内側の前後の据付固定部に設けたガイドに沿って摺動自在に当接され、振動を受けた筐体が前方へスライドすると、前方のガイドに沿って筐体の前部が上昇し、ローラーはストッパー部で停止し、筐体の重心が後方へ移動して筐体の前倒を防止するように構成したことを特徴とする脱落防止構造付免震装置を提供する。【００１６】  また、筐体に固定された筐体脚部を筐体脚部取付用Ｃ型鋼の背部に固定し、該筐体脚部取付用Ｃ型鋼の内側にローラーホルダーを介してローラーを取付け、該ローラーが該筐体脚部取付用Ｃ型鋼の内側の前後の据付固定部に設けたガイドに沿って摺動自在に当接され、振動を受けた筐体が前方へスライドすると筐体の前部が上昇し、前方のローラーはストッパー部で停止し、筐体の重心が後方へ移動して筐体の前倒を防止するように構成したことを特徴とする脱落防止構造付免震装置を提供する。【００１７】  また、筐体に固定された筐体脚部を筐体脚部取付用Ｃ型鋼の背部に固定し、該筐体脚部取付用Ｃ型鋼の内側に支持部を介して首振機能付マーブルを取付け、該首振機能付マーブルが該筐体脚部取付用Ｃ型鋼の内側の前後の据付固定部に設けたガイドに沿って摺動自在に当接され、振動を受けた筐体が前方へスライドすると筐体の前部が上昇し、首振機能付マーブルはストッパー部で停止し、筐体の重心が後方へ移動して筐体の前倒を防止するように構成したことを特徴とする脱落防止構造付免震装置を提供する。
【発明の効果】
【００１８】  本発明の脱落防止構造付免震装置免震は、地震による振動や余震が断続的に起こり、振幅が大きくなったときに免震装置の一部が脱落して免震機能が失われることを未然に防ぐことができる。【００１９】  また、地震による振動や余震が断続的に生じた場合に、自動販売機等の筐体の重心が筐体の後方に移動し、筐体等の前倒が防止される効果がある。
【発明を実施するための最良の形態】
【００２０】  以下、図面に示す実施例に基づき、本発明の脱落防止構造付免震装置について具体的に説明する。図面に於いて、図１は本発明に係る脱落防止構造付免震装置の上側部材の平面図である。図２は本発明に係る脱落防止構造付免震装置の下側部材の平面図である。図３は図２の斜視図である。図４は本発明に係る脱落防止構造付免震装置の側面図である。図５は本発明に係る脱落防止構造付免震装置の揺動時の側面図である。図６は脱落防止構造の部分斜視図である。図７は脱落防止構造の部分断面図である。図８は脱落防止構造の部分断面図である。図９は脱落防止構造の部分断面図である。図１０は脱落防止構造の部分断面図である。図１１は筐体の下部に設置した他の実施例を示す免震装置の部分側面図である。図１２は図１１のＡ−Ａ線の断面図である。図１３は図１１の筐体が前方へ移動した場合の部分側面図である。図１４は図１３のＢ−Ｂ線の断面図である。図１５は筐体の下部に設置した他の実施例を示す免震装置の部分側面図である。図１６は、図１５のＡ−Ａ線の断面図である。図１７は図１５の筐体が前方へ移動した場合の部分側面図である。図１８は図１７のＢ−Ｂ線の断面図である。図１９は筐体の下部に設置した他の実施例を示す免震装置の部分側面図である。図２０は図１９のＡ−Ａ線の断面図である。
図２１は図１９の筐体が前方へ移動した場合の部分側面図である。図２２は図２１のＢ−Ｂ線の断面図である。図２３は筐体の下部に設置した他の実施例を示す免震装置の部分側面図である。図２４は図２３のＡ−Ａ線の断面図である。図２５は図２３の筐体が前方へ移動した場合の部分側面図である。図２６は図２５のＢ−Ｂ線の断面図である。図２７は筐体の下部に設置した他の実施例を示す免震装置の部分側面図である。図２８は図２７のＡ−Ａ線の断面図である。図２９は図２７の筐体が前方へ移動した場合の部分側面図である。図３０は図２９のＢ−Ｂ線の断面図である。図３１は筐体の下部に設置した他の実施例を示す免震装置の部分側面図である。
図３２は図３１のＡ−Ａ線の断面図である。図３３は図３１の筐体が前方へ移動した場合の部分側面図である。図３４は図３３のＢ−Ｂ線の断面図である。図３５は筐体の下部に設置した他の実施例を示す免震装置の部分側面図である。図３６は図３５のＡ−Ａ線の断面図である。図３７は図３５の筐体が前方へ移動した場合の部分側面図である。図３８は図３７のＢ−Ｂ線の断面図である。図３９は筐体の下部に設置した他の実施例を示す免震装置の部分側面図である。図４０は図３９のＡ−Ａ線の断面図である。図４１は図３９の筐体が前方へ移動した場合の部分側面図である。図４２は図４１のＢ−Ｂ線の断面図である。図４３は免震装置を筐体に取付けた正面図である。図４４は免震装置を筐体に取付け筐体が前方に移動した側面図である。【００２１】  図面に示すように、上部構造物９に固定された上側部材１に複数の下向凹面部材２を固定し、基礎部材１０に固定された下側部材５に複数の上向凹面部材６を固定し、それぞれ対応する下向凹面部材２と上向凹面部材６との間に転動部材７を介在させている。【００２２】  上側部材１と下側部材５に固定した上側ガイドレール３と下側ガイドレール８間に脱落防止用の摺動ボルト４を介在させている。【００２３】  図６に示すように、上側ガイドレール３と下側ガイドレール８とが互いにクロスして配置されており、双方のクロス部分に摺動ボルト４が摺動自在に嵌装されている。【００２４】  地震の振動や横揺れに対応して図４の静止状態から図５に示すように転動部材７が転動して上側部材１が上方に持ち上げられる作用が付勢されると、上側ガイドレール３の位置は図８及び図１０の静止状態から図７及び図９の位置に移動する。【００２５】  図７及び図８に示す移動状態の場合でも、摺動ボルト４は上部部材１の全方向への移動にも外れずに摺動するようになっており、ボルト頭部４２は共振防止用スプリング４１を介して下側ガイドレール８に保持され、ボルト先端はナット４３にて上側ガイドレール３に保持されている。【００２６】  したがって、上下振動や横揺れが断続的に生じても上側部材１と下側部材５とは元の復元位置に戻り、免震装置としての機能が維持される。【００２７】  以下、図１１乃至図１４に基づき他の実施例について説明する。
筐体１２に固定された筐体脚部１３は筐体脚部取付用Ｃ型鋼１５の背部に強固に固定されており、該筐体脚部取付用Ｃ型鋼１５の内側に支持部１８を介して自在マーブル１９が取付けられている。【００２８】  該自在マーブル１９は該筐体脚部取付用Ｃ型鋼１５の内側の据付固定部１６に設けたガイド１７に沿って摺動自在に当接され、振動を受けた筐体１２が前方へスライドすると筐体１２の前部が図１３乃至図１４に示すように上昇し、自在マーブル１９はストッパー部１７１で停止し、且つ、筐体１２の重心が後方へ移動して筐体１２の前倒を防止するように構成されている。【００２９】  図４３は自動販売機等の筐体１２に免震装置２０を取付けた正面図であり、図４４では筐体１２の前方が上昇して重心が後方へ移動する状態を示したものであり、以下に説明する他の実施例の場合も前記せる図４４に示す同じ結果となり、筐体１２の前倒が防止される。【００３０】  以下、図１５乃至図１８に基づき、他の実施例について説明する。
筐体１２に固定された筐体脚部１３が筐体脚部取付用Ｃ型鋼１５の背部に強固に固定されており、該筐体脚部取付用Ｃ型鋼１５の内側にボールベアリングホルダー２２を介してボールベアリング２１が取付けられている。【００３１】  該ボールベアリング２１が該筐体脚部取付用Ｃ型鋼１５の内側の据付固定部１６に設けたガイド１７に沿って回動自在に当接されており、振動を受けた筐体１２が前方へスライドすると、筐体１２の前部が図１７乃至図１８に示すように上昇しボールベアリング２１はストッパー部１７１で停止し、筐体１２の重心が後方へ移動して筐体１２の前倒を防止するように構成されている。【００３２】  以下、図１９乃至図２２に基づいて、他の実施例について説明する。
筐体１２に固定された筐体脚部１３が筐体脚部取付用Ｃ型鋼１５の背部に強固に固定されており、該筐体脚部取付用Ｃ型鋼１５の内側に首振り用ゴム２３を介して、自在マーブル１９が取付けられている。【００３３】  該自在マーブル１９が該筐体脚部取付用Ｃ型鋼１５の内側の据付固定部１６に設けたガイド１７に沿って摺動自在に当接され、振動を受けた筐体１２が前方へスライドすると筐体１２の前部が前方ガイド１７の曲面に沿って上昇し、自在マーブル１９はストッパー部１７１で停止し、筐体１２の重心が図４４に示すように後方へ移動して筐体１２の前倒を防止する構成となっている。【００３４】  以下、図２３乃至図２６に基づいて、他の実施例について説明する。
筐体１２に固定された筐体脚部１３が筐体脚部取付用Ｃ型鋼１５の背部に強固に固定されており、該筐体脚部取付用Ｃ型鋼１５の内側に首振り用ゴム２３を介して、自在マーブル１９が取付けられている。【００３５】  該自在マーブル１９が該筐体脚部取付用Ｃ型鋼１５の内側の前後の据付固定部１６に設けたガイド１７に沿って摺動自在に当接され、振動を受けた筐体１２が前方へスライドすると筐体１２の前部が図２５乃至図２６に示すように上昇し、自在マーブル１９はストッパー部１７１で停止し、筐体１２の重心が図４４に示すように後方へ移動して筐体１２の前倒を防止するように構成されている。【００３６】  以下、図２７乃至図３０に基づいて、他の実施例について説明する。
筐体１２に固定された筐体脚部１３が筐体脚部取付用Ｃ型鋼１５の背部に強固に固定されており、該筐体脚部取付用Ｃ型鋼１５の内側にローラーホルダー２５を介して、ローラー２４が回転自在に取付けられている。なお、据付固定部１６に当接されるローラーホルダー２５は、双方又は一方に突起部２７が設けられ、据付固定部１６との摩擦により共振防止され、また、ストッパー部１７１には緩衝用ゴム（図示せず）を破損防止や防音の為に嵌着してもよく、緩衝用ゴム（図示せず）を嵌着しなくても脱落防止構造付免震装置としての性能は変わらない。【００３７】  該ローラー２４が該筐体脚部取付用Ｃ型鋼１５の内側の前後の据付固定部１６に設けたガイド１７に沿って回動自在に当接され、振動を受けた筐体１２が前方へスライドすると筐体１２の前部が図４４に示すように上昇し、ローラー２４はストッパー部１７１で停止し、筐体１２の重心が図４４に示すように後方へ移動して筐体１２の前倒を防止するように構成されている。【００３８】  据付固定部１６は前方と後方に二分されて構成されているが、下記に示す図３１乃至図３３の場合は、据付固定部１６は一体的に形成されている。【００３９】  以下、図３１乃至図３４に基づき、他の実施例について説明する。
筐体１２に固定された筐体脚部１３が筐体脚部取付用Ｃ型鋼１５の背部に強固に固定されており、該筐体脚部取付用Ｃ型鋼１５の内側にローラーホルダー２５を介して、ローラー２４が取付けられている。【００４０】該ローラー２４が該筐体脚部取付用Ｃ型鋼１５の内側に一体的に形成された据付固定部１６に設けたガイド１７に沿って回動自在に当接され、振動を受けた筐体１２が前方へスライドすると、前方のガイドに沿って筐体の前部が上昇し、ローラー２４はストッパー部１７１で停止し、筐体１２の重心が図４４に示すように後方へ移動して筐体１２の前倒を防止するように構成されている。なお、据付固定部１６に当接されるローラーホルダー２５は、双方又は一方に突起部２７が設けられ、据付固定部１６との摩擦により共振防止され、また、ストッパー部１７１には緩衝用ゴム（図示せず）を嵌着してもよい。【００４１】  以下、図３５乃至図３８に基づいて、他の実施例について説明する。
筐体１２に固定された筐体脚部１３が筐体脚部取付用Ｃ型鋼１５の背部に強固に固定されており、該筐体脚部取付用Ｃ型鋼１５の内側にローラーホルダー２５を介して、ローラー２４が取付けられている。【００４２】該ローラー２４が該筐体脚部取付用Ｃ型鋼１５の内側の前後に二分されて形成された据付固定部１６に設けたガイド１７に沿って回動自在に当接され、振動を受けた筐体１２が前方へスライドすると筐体１２の前部が図３２に示すように上昇し、前方のローラー２４はストッパー部１７１で停止し、筐体１２の重心が図４４に示すように後方へ移動して筐体１２の前倒を防止するように構成されている。なお、据付固定部１６に当接されるローラーホルダー２５は、双方又は一方に突起部２７が設けられ、据付固定部１６との摩擦により共振防止され、また、ストッパー部１７１には緩衝用ゴム（図示せず）を嵌着してもよい。【００４３】  次いで、図３９乃至図４２に基づき、他の実施例について説明する。
筐体１２に固定された筐体脚部１３が筐体脚部取付用Ｃ型鋼１５の背部に強固に固定されており、該筐体脚部取付用Ｃ型鋼１５の内側に支持部１８を介して、首振機能付マーブル２６が取付けられている。【００４４】  該首振機能付マーブル２６が該筐体脚部取付用Ｃ型鋼１５の内側前後の据付固定部１６に設けたガイド１７に沿って摺動自在に当接され、振動を受けた筐体１２が前方へスライドすると筐体１２の前部が図４１に示すように上昇し、首振機能付マーブル２６はストッパー部１７１で停止し、筐体１２の重心が図４４に示すように後方へ移動して筐体１２の前倒を防止するように構成されている。【００４５】  なお、図３１、図３３、図３５及び図３７において、後方に配置したローラーホルダー２５の下部に設けられた突起部２７は通常は据付固定部１６に接触しており、その接触部の摩擦力によって、共振防止の効果があり、筐体１２への収納物の出し入れや、少しの強風を受けても容易に摺動することはない。
【産業上の利用可能性】
【００４６】  以上説明した本発明の脱落防止構造付免震装置によれば、特に地震による振動や余震が断続的に起こり、振幅が大きくなったときに免震装置の一部が脱落して免震機能が失われることを未然に防ぎ、且つ、自動販売機等の筐体の前倒を防止するため、産業上の利用可能性が高いものである。
【図面の簡単な説明】
【００４７】
【図１】  本発明に係る脱落防止構造付免震装置の上側部材の平面図である。
【図２】  本発明に係る脱落防止構造付免震装置の下側部材の平面図である。
【図３】  図２の斜視図である。
【図４】  本発明に係る脱落防止構造付免震装置の側面図である。
【図５】  本発明に係る脱落防止構造付免震装置の揺動時の側面図である。
【図６】  脱落防止構造の部分斜視図である。
【図７】  脱落防止構造の部分断面図である。
【図８】  脱落防止構造の部分断面図である。
【図９】  脱落防止構造の部分断面図である。
【図１０】  脱落防止構造の部分断面図である。
【図１１】  筐体の下部に設置した他の実施例を示す免震装置の部分側面図である。
【図１２】  図１１のＡ−Ａ線の断面図である。
【図１３】  図１１の筐体が前方へ移動した場合の部分側面図である。
【図１４】  図１３のＢ−Ｂ線の断面図である。
【図１５】  筐体の下部に設置した他の実施例を示す免震装置の部分側面図である。
【図１６】  図１５のＡ−Ａ線の断面図である。
【図１７】  図１５の筐体が前方へ移動した場合の部分側面図である。
【図１８】  図１７のＢ−Ｂ線の断面図である。
【図１９】  筐体の下部に設置した他の実施例を示す免震装置の部分側面図である。
【図２０】  図１９のＡ−Ａ線の断面図である。
【図２１】  図１９の筐体が前方へ移動した場合の部分側面図である。
【図２２】  図２１のＢ−Ｂ線の断面図である。
【図２３】  筐体の下部に設置した他の実施例を示す免震装置の部分側面図である。
【図２４】  図２３のＡ−Ａ線の断面図である。
【図２５】  図２３の筐体が前方へ移動した場合の部分側面図である。
【図２６】  図２５のＢ−Ｂ線の断面図である。
【図２７】  筐体の下部に設置した他の実施例を示す免震装置の部分側面図である。
【図２８】  図２７のＡ−Ａ線の断面図である。
【図２９】  図２７の筐体が前方へ移動した場合の部分側面図である。
【図３０】  図２９のＢ−Ｂ線の断面図である。
【図３１】  筐体の下部に設置した他の実施例を示す免震装置の部分側面図である。
【図３２】  図３１のＡ−Ａ線の断面図である。
【図３３】  図３１の筐体が前方へ移動した場合の部分側面図である。
【図３４】  図３３のＢ−Ｂ線の断面図である。
【図３５】  筐体の下部に設置した他の実施例を示す免震装置の部分側面図である。
【図３６】  図３５のＡ−Ａ線の断面図である。
【図３７】  図３５の筐体が前方へ移動した場合の部分側面図である。
【図３８】  図３７のＢ−Ｂ線の断面図である。
【図３９】  筐体の下部に設置した他の実施例を示す免震装置の部分側面図である。
【図４０】  図３９のＡ−Ａ線の断面図である。
【図４１】  図３９の筐体が前方へ移動した場合の部分側面図である。
【図４２】  図４１のＢ−Ｂ線の断面図である。
【図４３】  免震装置を筐体に取付けた正面図である。
【図４４】  免震装置を筐体に取付け、筐体が前方に移動した側面図である。
【符号の説明】
【００４８】１    上側部材
２    下向凹面部材
３    上側ガイドレール
４    摺動ボルト
４１  共振防止用スプリング
４２  ボルト頭部
４３  ナット
５    下側部材
６    上向凹面部材
７    転動部材
８    下側ガイドレール
９    上部構造物
１０  基礎部材
１１  据付コンクリート
１２  筐体
１３  筐体脚部
１４  脚固定部
１５  筐体脚部取付用Ｃ型鋼
１６  据付固定部
１７  ガイド
１７１  ストッパー部
１８  支持部
１９  自在マーブル
２０  免震装置
２１  ボールベアリング
２２  ボールベアリングホルダー
２３  首振り用ゴム
２４  ローラー
２５  ローラーホルダー
２６  首振機能付マーブル
２７  突起部
【図１】
2010025328.tif 000003
【図２】
2010025328.tif 000004
【図３】
2010025328.tif 000005
【図４】
2010025328.tif 000006
【図５】
2010025328.tif 000007
【図６】
2010025328.tif 000008
【図７】
2010025328.tif 000009
【図８】
2010025328.tif 000010
【図９】
2010025328.tif 000011
【図１０】
2010025328.tif 000012
【図１１】
2010025328.tif 000013
【図１２】
2010025328.tif 000014
【図１３】
2010025328.tif 000015
【図１４】
2010025328.tif 000016
【図１５】
2010025328.tif 000017
【図１６】
2010025328.tif 000018
【図１７】
2010025328.tif 000019
【図１８】
2010025328.tif 000020
【図１９】
2010025328.tif 000021
【図２０】
2010025328.tif 000022
【図２１】
2010025328.tif 000023
【図２２】
2010025328.tif 000024
【図２３】
2010025328.tif 000025
【図２４】
2010025328.tif 000026
【図２５】
2010025328.tif 000027
【図２６】
2010025328.tif 000028
【図２７】
2010025328.tif 000029
【図２８】
2010025328.tif 000030
【図２９】
2010025328.tif 000031
【図３０】
2010025328.tif 000032
【図３１】
2010025328.tif 000033
【図３２】
2010025328.tif 000034
【図３３】
2010025328.tif 000035
【図３４】
2010025328.tif 000036
【図３５】
2010025328.tif 000037
【図３６】
2010025328.tif 000038
【図３７】
2010025328.tif 000039
【図３８】
2010025328.tif 000040
【図３９】
2010025328.tif 000041
【図４０】
2010025328.tif 000042
【図４１】
2010025328.tif 000043
【図４２】
2010025328.tif 000044
【図４３】
2010025328.tif 000045
【図４４】
2010025328.tif 000046